(57)【要約】【課題】単純な構造で複合的な刺激を人体の被施療部に与えることができる按摩機を提供すること。【解決手段】本体２の接触面たる足載せ板３に対して略垂直に設けられた減速機構６の出力軸７に、この出力軸７の軸線Ｘ´から距離Ｌ１偏心し且つ出力軸７と平行に高さＨ１突出した第一施療子１０と軸線Ｘ´から距離Ｌ２（＞Ｌ１）偏心し且つ出力軸７と平行に高さＨ２（＜Ｈ１）突出した第二施療子１１を設けた施療体８を、電動機５によって回転可能に設ける。そして、前記足載せ板３に載せられた人体の被施療部たる足裏Ｆに対して施療体８が平行に回転し、前記第一施療子１０によって足裏Ｆに対して指圧的な刺激が与えられると共に、前記第二施療子１１によって足裏Ｆに対して摩擦刺激が与えられることで、単純な構成で被施療部に複合的な刺激を与えることができる。【選択図】  図４
2004344512.tif 000002
【特許請求の範囲】
【請求項１】
本体と、この本体内に設けられる電動機と、この電動機の回転を減速して伝達する減速機構と、人体の被施療部が接する前記本体の接触面に対して略垂直に設けられた前記減速機構の出力軸に取り付けられた施療体とを有する按摩機において、
前記施療体に、前記出力軸に対して偏心し且つ前記出力軸の軸方向と略平行に突出する突起状の第一施療子及び第二施療子を形成すると共に、前記第一施療子を第二施療子よりも高く、且つ前記出力軸から第一施療子までの距離を、前記出力軸から第二施療子までの距離よりも小さく形成したことを特徴とする按摩機。
【請求項２】
前記出力軸の軸線が前記第一施療子と交差するように構成したことを特徴とする請求項１記載の按摩機。
【発明の詳細な説明】
【０００１】
【発明が属する技術分野】
本発明は按摩機に関するものであり、特に、施療子を人体の被施療部に当接させた状態で人体とほぼ平行に動かすことでマッサージする按摩機に関するものである。
【０００２】
【発明が解決しようとする課題】
従来この種の按摩機としては、例えば以下のようなものが知られている。
【０００３】
【特許文献１】
特開平１１−１０４２０２号公報
【０００４】
【特許文献２】
特開２００１−１２０６１２号公報
【０００５】
前者の按摩機は、モータ（電動機）を有する駆動体によって回転される施療体に複数の施療子を設けたものであり、人体の被施療部を施療体に当接させてモータを駆動させると施療体が回転し、複数の施療子が被施療部と略平行に回転して被施療部に刺激を与えることで、被施療部をマッサージするものである。また、これら複数の施療子が、高さが異なる複数の施療子によって形成されたものも記載されている。また、後者の按摩機は、本体ケース（本体）内にモータ（電動機）を設け、このモータの回転をギアボックス（減速機構）を介して駆動軸（出力軸）に伝え、この駆動軸に取り付けられている施療子を偏心回転させると共に、この施療子に設けられている指圧子を、前記駆動軸の回転に応じて出没させるものである。
【０００６】
しかしながら、このような按摩機においては、施療子が被施療部を軽く押圧しながら摩擦することで刺激を与えるものであり、被施療部の血行が促進されるものの、刺激としては単調なものであった。そして、前記複数の施療子が高さの異なる複数の施療子を有することで、刺激に強弱を付けることができるものの、基本的には押圧しながらの摩擦によるやや単調な刺激であった。また、後者の按摩機においては、摩擦刺激と指圧刺激を与えることができるので、被施療部に対して複雑な刺激を与えることができるものの、指圧子が突出した状態では施療子が被施療部に殆ど接触せず、摩擦刺激と指圧刺激を同時に与えられる期間が短いと共に、このような動作をさせるために、構造が複雑になってしまうという問題があった。
【０００７】
本発明は以上の問題点を解決し、単純な構造で複合的な刺激を人体の被施療部に与えることができる按摩機を提供することを目的とする。
【０００８】
【課題を解決するための手段】
本発明の請求項１に記載の按摩機は、本体と、この本体内に設けられる電動機と、この電動機の回転を減速して伝達する減速機構と、人体の被施療部が接する前記本体の接触面に対して略垂直に設けられた前記減速機構の出力軸に取り付けられた施療体とを有する按摩機において、前記施療体に、前記出力軸に対して偏心し且つ前記出力軸の軸方向と略平行に突出する突起状の第一施療子及び第二施療子を形成すると共に、前記第一施療子を第二施療子よりも高く、且つ前記出力軸から第一施療子までの距離を、前記出力軸から第二施療子までの距離よりも小さく形成したものである。
【０００９】
本発明は以上のように構成することにより、小半径で回転する高い第一施療子によって、被施療部の狭い範囲に指圧的な刺激が与えられると同時に、大半径で回転する低い第二施療子によって、被施療部の広い範囲に摩擦刺激が与えられる。
【００１０】
また、本発明の請求項２に記載の按摩機は、請求項１において、前記出力軸の軸線が前記第一施療子と交差するように構成したものである。
【００１１】
本発明は以上のように構成することにより、第一施療子が被施療部に接する部位に前記出力軸の軸線が交差することで、この軸線を中心として第一施療子が小半径で回転し、被施療部の狭い範囲に対して指圧的な刺激が効果的に与えられる。
【００１２】
【発明の実施形態】
以下、本発明の実施形態について、図１乃至図５に基づいて説明する。なお、以後の説明において、図１における上側が後、図１における下側が前となる。
【００１３】
１は足用の按摩機である。この按摩機１の本体２は、後方がやや高い略円盤状に形成されていると共に、この本体２の上部には接触面たる足載せ板３が設けられている。そして、前記足載せ板３には、前記本体の右半分２Ｒ及び左半分２Ｌのそれぞれの略中央に該当する位置に、貫通孔４が形成されている。そして、前記本体２内には、電動機５と、この電動機５の図示しない回転軸に対して連結された減速機構６が設けられていると共に、この減速機構６の一対の出力軸７に対して、それぞれ施療体８が取り付けられている。なお、前記出力軸７の軸線Ｘ´は前記施療体８の中心Ｘを通る。即ち、前記施療体８は、前記出力軸７に対して同心状に取り付けられる。そして、前記電動機５は、その回転軸が前記足載せ板３と略平行となるように、且つ前記回転軸が前記本体２の前後方向に延びるように、前記本体２内に設けられている。また、前記減速機構６は、前記電動機５を挟んで左右対称に形成されると共に、前記出力軸７は、前記本体２に形成された左右一対の貫通孔４にて、前記足載せ板３に対して略垂直となるように設けられている。更に、前記施療体８は、略円盤状に形成された円盤部９と、この円盤部９の中心Ｘに対して偏位して設けられた第一施療子１０と、前記円盤部９の中心Ｘを挟んで前記第一施療子１０の反対側に偏位して設けられた第二施療子１１とで形成されている。なお、前記第一施療子１０の高さＨ１は、第二施療子１１の高さＨ２よりも高く形成されていると共に、前記中心Ｘから前記第一施療子１０の中心Ｙまでの距離Ｌ１は、前記中心Ｘから前記第二施療子１１の中心Ｚまでの距離Ｌ２よりも短く形成されている。更に、前記出力軸７の軸線Ｘ´は、前記第一施療子１０上における高さＨ２位置付近で交差している。
【００１４】
更に、前記足載せ板３には、保持体１２が着脱自在に取り付けられている。この保持体１２には、前記左右一対の貫通孔４に対応して左右一対の貫通孔１３が形成されていると共に、これらの貫通孔１３に、それぞれカバーシート１４が保持されている。そして、前記保持体１２を前記足載せ板３に取り付けることで、前記施療体８がカバーシート１４によって覆われる。また、前記足載せ板３における貫通孔４の前後には、それぞれ多数の小凸部１５，１６が設けられていると共に、これらの小凸部１５，１６の内側にはヒータ１７，１８がそれぞれ設けられている。更に、前記本体２の前側中央には、操作部１９が設けられている。なお、２０は前記本体２の後方上部に着脱自在に取り付けられたカバー体、２１は前記本体２の足、２２は電源コードである。
【００１５】
次に、本実施形態の作用について説明する。まず使用者は、前記電源コード２２の電源プラグを図示しない電源コンセントに差し込み、按摩機１を任意の場所に置くと共に、被施療部たる自身の足を足載せ板３に載せる。このとき、主として按摩したい部分、具体的には足裏Ｆの目的のツボ付近に前記施療体８の第一施療子１０が当たるようにする。この状態において、使用者の足裏Ｆは、前記施療体８の第一施療子１０及び第二施療子１１に当接すると共に、これら第一施療子１０及び第二施療子１１が当接した部位が凹んで図４（ｂ）に示すような状態となる。即ち、使用者の足裏Ｆは変形し、前記第一施療子１０と第二施療子１１の間において、前記第二施療子１１の頂部よりも低い位置にあることになる。そして、前記操作部１９を操作することで前記電動機５が回転し、この回転が前記減速機構６を介して一対の出力軸７に伝わり、これらの出力軸７に取り付けられた施療体８が回転する。なお、前記出力軸７が足載せ板３に対して略垂直に設けられていることで、この足載せ板３に載せた足裏Ｆに対しても前記出力軸７が略垂直となるため、前記施療体８は、足裏Ｆに沿って回転することになる。また、前記操作部１９を操作することで前記ヒータ１７，１８が作動して、前記足載せ板３に載せられた使用者の足裏Ｆを温める。
【００１６】
前記施療体８が回転すると、前記施療体８に設けられた第一施療子１０及び第二施療子１１が足裏Ｆを刺激することになる。このとき、前記第一施療子１０が第二施療子１１よりも高く形成されている（Ｈ１＞Ｈ２）と共に、前記第一施療子１０が第二施療子１１よりも中心Ｘに近い位置に設けられている（Ｌ１＜Ｌ２）ため、足裏Ｆを強く刺激する第一施療子１０は小さい回転半径で回転することになると共に、足裏Ｆを弱く刺激する第二施療子１１は大きい回転半径で回転することになる。また、前記第一施療子１０における高さＨ２位置付近で前記出力軸７の軸線Ｘ´が交差すると共に、前述したように、使用者の足裏Ｆが変形して、前記第一施療子１０と第二施療子１１の間において前記第二施療子１１の頂部よりも低い位置にあるため、前記第一施療子１０の回転中心となる軸線Ｘ´が前記第一施療子１０における足裏Ｆに接する部位と交差するので、前記第一施療子１０によって刺激される足裏Ｆの範囲は、図５に示すような、中央に空白のない円形となる。このため、この部位において、足裏Ｆは満遍なく刺激される。そして、前記第一施療子１０が小半径で回転し、また線速度が遅いことで、足裏Ｆの目的のツボ付近が指圧するように強く刺激されることになる。また、前記第二施療子１１は大半径で回転し、また線速度が速いことで、足裏Ｆの広い範囲が摩擦するように弱く刺激されることになる。このため、足裏Ｆの広い範囲が摩擦され、前記ヒータ１７，１８と相まって、足裏Ｆの血行が促進される。このように、前記施療体８を回転させることで、前記第一施療子１０による指圧刺激と、前記第二施療子１１による摩擦刺激とが同時に足裏Ｆに与えられることになるので、足裏Ｆに対して複合的な刺激を与えることができる。
【００１７】
そして、所定の時間が経過すると、前記電動機５は停止し、これによって前記施療体８の回転も停止すると共に、前記ヒータ１７，１８も停止する。そして、前記電源コード２２の図示しない電源プラグを図示しない電源コンセントから抜き取り、前記按摩機１を片づける。なお、このような使用によって、前記施療体８を覆うカバーシート１４が汚れたり擦り切れたりすることが起こり得るので、その場合、前記保持体１２ごと前記カバーシート１４を取り換えることになる。
【００１８】
以上のように本発明は、本体２の接触面たる足載せ板３に対して略垂直に設けられた減速機構６の出力軸７に、この出力軸７の軸線Ｘ´から距離Ｌ１偏心し且つ出力軸７と平行に高さＨ１突出した第一施療子１０と軸線Ｘ´から距離Ｌ２（＞Ｌ１）偏心し且つ出力軸７と平行に高さＨ２（＜Ｈ１）突出した第二施療子１１を設けた施療体８を、電動機５によって回転可能に設けたものであり、前記足載せ板３に載せられた人体の被施療部たる足裏Ｆに対して施療体８が平行に回転し、前記第一施療子１０によって足裏Ｆに対して指圧的な刺激が与えられると共に、前記第二施療子１１によって足裏Ｆに対して摩擦刺激が与えられることで、単純な構成で被施療部に複合的な刺激を与えることができる。
【００１９】
また、本発明は、前記出力軸７の軸線Ｘ´が前記第一施療子１０と交差するものであり、この第一施療子１０が接する足裏Ｆの範囲に対して、より効果的に指圧的な刺激を与えることができる。
【００２０】
なお、本発明は以上の実施形態に限定されるものではなく、発明の要旨の範囲内で種々の変形が可能である。例えば、上記実施形態では、第一施療部及び第二施療部をそれぞれ１つずつ設けたが、これらをそれ以上の数設けても良い。
【００２１】
【発明の効果】
本発明の請求項１に記載の按摩機は、本体と、この本体内に設けられる電動機と、この電動機の回転を減速して伝達する減速機構と、人体の被施療部が接する前記本体の接触面に対して略垂直に設けられた前記減速機構の出力軸に取り付けられた施療体とを有する按摩機において、前記施療体に、前記出力軸に対して偏心し且つ前記出力軸の軸方向と略平行に突出する突起状の第一施療子及び第二施療子を形成すると共に、前記第一施療子を第二施療子よりも高く、且つ前記出力軸から第一施療子までの距離を、前記出力軸から第二施療子までの距離よりも小さく形成したものであり、小半径で回転する高い第一施療子によって、被施療部の狭い範囲に指圧的な刺激が与えられると同時に、大半径で回転する低い第二施療子によって、被施療部の広い範囲に摩擦刺激が与えられるので、簡単な構造で被施療部に複合的な刺激を与えることができる。
【００２２】
また、本発明の請求項２に記載の按摩機は、請求項１において、前記出力軸の軸線が前記第一施療子と交差するように構成したものであり、第一施療子が被施療部に接する部位に前記出力軸の軸線が交差することで、この軸線を中心として第一施療子が小半径で回転し、被施療部の狭い範囲に対して指圧的な刺激が効果的に与えられるので、被施療部に対してより効果的に刺激を与えることができる。
【図面の簡単な説明】
【図１】本発明の一実施形態を示す按摩機の平面図である。
【図２】同上、図１におけるＡ１−Ａ２−Ａ３−Ａ４−Ａ５−Ａ６断面図である。
【図３】同上、電動機、減速機構及び施療体の一部断面図である。
【図４】同上、施療体の拡大図であり、（ａ）は被施療部を載せていない状態、（ｂ）は被施療部を載せた状態の施療体の拡大図である。
【図５】被施療部における前記第一施療子が接する範囲の説明図である。
【符号の説明】
１  按摩機
２  本体
３  足載せ板（接触面）
５  電動機
６  減速機構
７  出力軸
８  施療体
１０  第一施療子
１１  第二施療子
Ｘ´  軸線
Ｈ１，Ｈ２  高さ
Ｌ１，Ｌ２  距離
Ｆ  足裏（被施療部）
【図１】
2004344512.tif 000003
【図２】
2004344512.tif 000004
【図３】
2004344512.tif 000005
【図４】
2004344512.tif 000006
【図５】
2004344512.tif 000007